(57)【要約】      （修正有）【課題】複数のユーザーにより複数のＩＰ電話端末を使用する環境において、ＩＰ電話端末を選ぶことなくユーザーの設定環境を安全に使用することが可能なＩＰ電話端末の使用環境移行システムを提供する。【解決手段】ユーザーに一意に定められたユーザー情報を含めた個人認証要求を送信するＩＰ電話端末と、個人認証要求を受信すると、ユーザー情報に基づいてユーザーの個人認証を行う情報管理サーバとを備え、情報管理サーバは、ＩＰ電話端末の設定情報である端末利用環境情報をユーザー情報に対応させて保存し、ＩＰ電話端末は、個人認証が正しく行えた場合には、情報管理サーバから、ユーザー情報に対応する端末利用環境情報をダウンロードして、端末利用環境情報を設定した状態でＩＰ電話端末の機能を使用することが可能な使用可能状態へ移行し、個人認証が正しく行えない場合には、ＩＰ電話端末の使用可能な機能を制限する使用不可状態へ移行する。【選択図】図１
2009253641.tif 000002
【特許請求の範囲】
【請求項１】
ユーザーに一意に定められたユーザー情報を含めた個人認証要求を送信するＩＰ電話端末と、
前記個人認証要求を受信すると、前記ユーザー情報に基づいて前記ユーザーの個人認証を行う情報管理サーバと
を備え、
前記情報管理サーバは、前記ＩＰ電話端末の設定情報である端末利用環境情報を前記ユーザー情報に対応させて保存し、
前記ＩＰ電話端末は、前記個人認証が正しく行えた場合には、前記情報管理サーバから、前記ユーザー情報に対応する前記端末利用環境情報をダウンロードして、前記端末利用環境情報を設定した状態で前記ＩＰ電話端末の機能を使用することが可能な使用可能状態へ移行し、前記個人認証が正しく行えない場合には、前記ＩＰ電話端末の使用可能な機能を制限する使用不可状態へ移行する
ＩＰ電話端末の使用環境移行システム。
【請求項２】
請求項１に記載のＩＰ電話端末の使用環境移行システムであって、
前記ＩＰ電話端末は、前記使用不可状態へ移行する時に、前記端末利用環境情報を設定している時は、前記端末利用環境情報を削除する
ＩＰ電話端末の使用環境移行システム。
【請求項３】
請求項１または請求項２に記載のＩＰ電話端末の使用環境移行システムであって、
前記ＩＰ電話端末は、前記使用不可状態へ移行すると、前記個人認証が正しく行われるまで前記使用不可状態を維持する
ＩＰ電話端末の使用環境移行システム。
【請求項４】
請求項１から請求項３までのいずれかに記載のＩＰ電話端末の使用環境移行システムであって、
前記ＩＰ電話端末が前記個人認証要求を送信する時に、既に前記ユーザーの前記ユーザー情報に対応する前記端末利用環境情報を設定している移行元ＩＰ電話端末をさらに備え、
前記情報管理サーバは、前記移行元ＩＰ電話端末と前記ユーザー情報とを対応させて記憶し、前記ＩＰ電話端末からの前記個人認証要求に対して前記ユーザーの前記個人認証が正しく行えた時に、前記ユーザー情報に対応する前記移行元ＩＰ電話端末を記憶している場合には、前記ＩＰ電話端末が前記ユーザー情報に対応する前記端末利用環境情報をダウンロードして前記使用可能状態へ移行した時に、前記移行元ＩＰ電話端末へ前記端末管理情報の削除命令を送信し、
前記移行元ＩＰ電話端末は、前記削除命令を入力すると、前記移行元ＩＰ電話端末が設定している前記端末利用環境情報を削除して、前記使用不可状態へ移行する
ＩＰ電話端末の使用環境移行システム。
【請求項５】
請求項４に記載のＩＰ電話端末の使用環境移行システムであって、
前記情報管理サーバは、前記ユーザーの個人認証が正しく行えた時に、前記移行元ＩＰ電話端末が通話を行っている場合には、前記ＩＰ電話端末が前記端末利用環境情報をダウンロードして前記使用可能状態へ移行した時に、前記通話を前記ＩＰ電話端末へ転送し、
前記ＩＰ電話端末は、前記通話を転送された時に、オフフックし前記通話を開始する
ＩＰ電話端末の使用環境移行システム。
【請求項６】
請求項１から請求項５までのいずれかに記載のＩＰ電話端末の使用環境移行システムであって、
前記情報管理サーバは、前記ユーザーの個人認証が正しく行えた時に、前記ＩＰ電話端末を使用可能状態で使用可能な期間を記録した個人認証有効期限情報を前記ＩＰ電話端末へ送信し、
前記ＩＰ電話端末は、前記個人認証有効期限情報に記録された期間が経過すると、前記ＩＰ電話端末の端末利用環境情報を削除して、前記使用不可状態へ移行する
ＩＰ電話端末の使用環境移行システム。
【請求項７】
請求項１から請求項６までのいずれかに記載のＩＰ電話端末の使用環境移行システムであって、
前記ＩＰ電話端末は、設定している前記端末利用環境情報を前記ユーザー情報と共に前記情報管理サーバへアップロードし、
前記情報管理サーバは、前記端末利用環境情報を前記ユーザー情報に対応させて保存する
ＩＰ電話端末の使用環境移行システム。
【請求項８】
請求項１から請求項７までのいずれかに記載のＩＰ電話端末の使用環境移行システムであって、
前記ＩＰ電話端末の電源状態が低下したとき、あるいは前記ＩＰ電話端末の電波受信状態が悪化したときの通信の切替え先である移行先ＩＰ電話端末をさらに備え、
前記ＩＰ電話端末は、前記移行先ＩＰ電話端末の前記識別情報を予め記録し、前記ＩＰ電話端末の電源状態が低下したとき、あるいは前記ＩＰ電話端末の電波受信状態が悪化したときは、前記移行先ＩＰ電話端末の識別情報を含めた通信切替要求を前記情報管理サーバへ送信する
ＩＰ電話端末の使用環境移行システム。
【請求項９】
請求項８に記載のＩＰ電話端末の使用環境移行システムであって、
前記移行先ＩＰ電話端末は、前記ユーザー情報を含めて前記個人認証要求を送信し、
前記情報管理サーバは、前記通信切替要求を受信すると、前記移行先ＩＰ電話端末から前記ユーザー情報を含めた個人認証要求を受信したときは、前記ユーザー情報に基づいて前記個人認証を行い、
前記移行先ＩＰ電話端末は、前記個人認証が正しく行えた場合には、前記情報管理サーバから前記ユーザー情報に対応する前記端末利用環境情報をダウンロードして、前記端末利用環境情報を設定した状態で前記移行先ＩＰ電話端末の機能を使用することが可能な使用可能状態へ移行し、
前記情報管理サーバは、前記移行先ＩＰ電話端末が前記ユーザー情報に対応する前記端末利用環境情報をダウンロードして前記使用可能状態へ移行した時に前記ＩＰ電話端末へ前記端末管理情報の削除命令を送信し、
前記ＩＰ電話端末は、前記削除命令を入力すると、前記ＩＰ電話端末が設定している前記端末利用環境情報を削除して、前記使用不可状態へ移行する
ＩＰ電話端末の使用環境移行システム。
【請求項１０】
請求項９に記載のＩＰ電話端末の使用環境移行システムであって、
前記情報管理サーバは、前記通信切替要求を受信したときに、前記ＩＰ電話端末が通話中であるときは、当該通話を保留し、
前記移行先ＩＰ電話端末の前記個人認証が正しく行えた場合は、前記移行先ＩＰ電話端末が前記使用可能状態へ移行した時に、当該通話を前記ＩＰ電話端末へ転送する
ＩＰ電話端末の使用環境移行システム。
【請求項１１】
請求項１０に記載のＩＰ電話端末の使用環境移行システムであって、
前記移行先ＩＰ電話端末は、前記通話を転送された時に、オフフックし前記通話を開始する
ＩＰ電話端末の使用環境移行システム。
【請求項１２】
請求項１から請求項１１までいずれかに記載のＩＰ電話端末の使用環境移行システムにおいて使用するＩＰ電話端末。
【請求項１３】
請求項１２のＩＰ電話端末の機能をコンピュータにおいて実現するプログラム。
【請求項１４】
請求項１から請求項１１までのいずれかに記載のＩＰ電話端末の使用環境移行システムにおいて使用する情報管理サーバ。
【請求項１５】
ユーザーに一意に定められたユーザー情報を含めた個人認証要求を送信するステップと、
前記個人認証要求を受信するステップと、
前記ユーザー情報に基づいて前記ユーザーの個人認証を行うステップと、
ＩＰ電話端末の設定情報である端末利用環境情報を前記ユーザー情報に対応させて保存するステップと、
前記個人認証が正しく行えた場合には、前記情報管理サーバから、前記ユーザー情報に対応する前記端末利用環境情報をダウンロードして、前記端末利用環境情報を設定した状態で前記ＩＰ電話端末の機能を使用することが可能な使用可能状態へ移行するステップと、
前記個人認証が正しく行えない場合には、前記ＩＰ電話端末の使用可能な機能を制限する使用不可状態へ移行するステップと
を備えるＩＰ電話端末の使用環境移行方法。
【請求項１６】
請求項１５に記載のＩＰ電話端末の使用環境移行方法であって、
前記使用不可状態へ移行する時に、前記端末利用環境情報を設定している時は、前記端末利用環境情報を削除するステップ
をさらに備えるＩＰ電話端末の使用環境移行方法。
【請求項１７】
請求項１５または請求項１６に記載のＩＰ電話端末の使用環境移行方法であって、
前記使用不可状態へ移行すると、前記個人認証が正しく行われるまで前記使用不可状態を維持するステップ
をさらに備えるＩＰ電話端末の使用環境移行方法。
【請求項１８】
請求項１５から請求項１７までのいずれかに記載のＩＰ電話端末の使用環境移行方法であって、
前記ＩＰ電話端末が前記個人認証要求を送信する時に既に前記ユーザーの前記ユーザー情報に対応する前記端末利用環境情報を設定している移行元ＩＰ電話端末を前記ユーザー情報とを対応させて記憶するステップと、
前記ＩＰ電話端末からの前記個人認証要求に対して前記ユーザーの前記個人認証が正しく行えた時に、前記ユーザー情報に対応する前記移行元ＩＰ電話端末を記憶している場合には、前記ＩＰ電話端末が前記ユーザー情報に対応する前記端末利用環境情報をダウンロードして前記使用可能状態へ移行した時に、前記移行元ＩＰ電話端末へ前記端末管理情報の削除命令を送信するステップと、
前記削除命令を入力すると、前記移行元ＩＰ電話端末が設定している前記端末利用環境情報を削除して、前記使用不可状態へ移行するステップと
をさらに備えるＩＰ電話端末の使用環境移行方法。
【請求項１９】
請求項１８に記載のＩＰ電話端末の使用環境移行方法であって、
前記ユーザーの個人認証が正しく行えた時に、前記移行元ＩＰ電話端末が通話を行っている場合には、前記ＩＰ電話端末が前記端末利用環境情報をダウンロードして前記使用可能状態へ移行した時に、前記通話を前記ＩＰ電話端末へ転送するステップと、
前記通話を転送された時に、オフフックし前記通話を開始するステップと
をさらに備えるＩＰ電話端末の使用環境移行方法。
【請求項２０】
請求項１５から請求項１９までのいずれかに記載のＩＰ電話端末の使用環境移行方法であって、
前記ユーザーの個人認証が正しく行えた時に、前記ＩＰ電話端末を使用可能状態で使用可能な期間を記録した個人認証有効期限情報を前記ＩＰ電話端末へ送信するステップと、
前記個人認証有効期限情報に記録された期間が経過すると、前記ＩＰ電話端末の端末利用環境情報を削除して前記使用不可状態へ移行するステップと
をさらに備えるＩＰ電話端末の使用環境移行方法。
【請求項２１】
請求項１５から請求項２０までのいずれかに記載のＩＰ電話端末の使用環境移行方法であって、
設定している前記端末利用環境情報を前記ユーザー情報と共に前記情報管理サーバへアップロードするステップと、
前記アップロードされた前記端末利用環境情報を前記ユーザー情報に対応させて保存するステップと
をさらに備えるＩＰ電話端末の使用環境移行方法。
【請求項２２】
請求項１５から請求項２１までのいずれかに記載のＩＰ電話端末の使用環境移行方法であって、
前記ＩＰ電話端末の電源状態が低下したとき、あるいは前記ＩＰ電話端末の電波受信状態が悪化したときの通信の切替え先である移行先ＩＰ電話端末の前記識別情報を予め記録するステップと、
前記ＩＰ電話端末の電源状態が低下したとき、あるいは前記ＩＰ電話端末の電波受信状態が悪化したときは、前記移行先ＩＰ電話端末の識別情報を含めた通信切替要求を前記情報管理サーバへ送信するステップと
をさらに備えるＩＰ電話端末の使用環境移行方法。
【請求項２３】
請求項２２に記載のＩＰ電話端末の使用環境移行方法であって、
前記移行先ＩＰ電話端末から前記ユーザー情報を含めて前記個人認証要求を受信するステップと、
前記ユーザー情報に基づいて前記移行先ＩＰ電話端末の前記個人認証を行うステップと、
前記個人認証が正しく行えた場合には、前記情報管理サーバから前記ユーザー情報に対応する前記端末利用環境情報をダウンロードして、前記端末利用環境情報を設定した状態で前記移行先ＩＰ電話端末の機能を使用することが可能な使用可能状態へ移行ステップと、
前記移行先ＩＰ電話端末が前記ユーザー情報に対応する前記端末利用環境情報をダウンロードして前記使用可能状態へ移行した時に前記ＩＰ電話端末へ前記端末管理情報の削除命令を送信するステップと、
前記削除命令を入力すると前記ＩＰ電話端末が設定している前記端末利用環境情報を削除して、前記ＩＰ電話端末を前記使用不可状態へ移行するステップと
を備えるＩＰ電話端末の使用環境移行方法。
【請求項２４】
請求項２３に記載のＩＰ電話端末の使用環境移行方法であって、
前記通信切替要求を受信したときに、前記ＩＰ電話端末が通話中であるときは、当該通話を保留するステップと、
前記移行先ＩＰ電話端末の前記個人認証が正しく行えた場合は、前記移行先ＩＰ電話端末が前記使用可能状態へ移行した時に、当該通話を前記ＩＰ電話端末へ転送するステップと
をさらに備えるＩＰ電話端末の使用環境移行方法。
【請求項２５】
請求項２４に記載のＩＰ電話端末の使用環境移行方法であって、
前記通話を転送された時に、前記移行先ＩＰ電話端末をオフフックし前記通話を開始するステップ
をさらに備えるＩＰ電話端末の使用環境移行方法。
【発明の詳細な説明】
【技術分野】
【０００１】
本発明は、ＩＰ電話端末に関し、特に複数のユーザーが複数の端末を使用する環境において、各端末間で設定環境や呼を移行するシステムに関する。
【背景技術】
【０００２】
ＳＩＰ（Ｓｅｓｓｉｏｎ  Ｉｎｉｔｉａｔｉｏｎ  Ｐｒｏｔｏｃｏｌ）に代表されるＶｏＩＰ（Ｖｏｉｃｅ  ｏｖｅｒ  Ｉｎｔｅｒｎｅｔ  Ｐｒｏｔｏｃｏｌ）を用いたＩＰ電話が普及している。携帯可能な携帯ＩＰ電話端末が、オフィスで内線電話として使用される例も増えている。このような携帯ＩＰ電話端末は、各ユーザーに割り当てられ使用される。各ユーザーは、携帯ＩＰ電話端末の電話帳登録や、待ち受け画面設定、あるいは着信メロディー等の設定を、好みに行うことができる。
【０００３】
一方、携帯ＩＰ電話端末は持ち運びが可能なため、一時的な置忘れなどの原因で、他者の端末を使用する場合がある。また、通話を他者に転送せずに、端末の手渡しによって通話を代わる場合もある。ユーザーは、他者の携帯ＩＰ電話端末を使用する場合、自分の設定環境を利用することはできないために不便が生じる。このような、課題に関連して、次のような技術が開示されている。
【０００４】
特許文献１は、インターネットを利用して電話番号とスケジュールを利用者に有料で提供する電話番号個人情報提供システムを開示している。特許文献１の電話番号個人情報提供システムにおいて、利用者は、携帯電話機の電話帳に記憶されている電話番号をサーバの個人電話帳にアップロードする。利用者からの指示によりサーバは個人電話帳に記憶されている電話番号を携帯電話機へダウンロードする。利用者は編集指示をインターネットで送りサーバの個人電話帳を編集する。利用者は検索指示をインターネットで送りサーバの共通電話帳から電話番号を検索する。サーバは、利用者から登録された個人スケジュール表を監視しイベントを事前に利用者に通知する。サーバは、利用者に提供した情報量に応じて課金する。
【０００５】
また、特許文献２は、ＩＰネットワーク上でユーザーが、利用環境に応じて複数の通信端末を利用したい場合に、セッションを継続したままシームレスにユーザー端末の切り替えを簡単に行うことができるユーザー端末切り替え方法、また、その際に個人認証を行うことができるユーザー端末切り替え方法を開示している。特許文献２のユーザー端末切り替え方法は、複数のユーザー端末と通信先端末とサービス切り替えサーバがＩＰ網に接続され、一人のユーザーが、複数のユーザー端末を所有し、任意のユーザー端末（移動元端末）と通信先端末とがサービス切り替えサーバを経由して通信セッション確立中に、ユーザーの移動に伴い、サービスを継続したまま該ユーザーの異なるユーザー端末（移動先端末）にセッションの切り替えを行うサービス切り替え方法であって、ユーザーの意思で、または、自動的に移動元端末と移動先端末のネゴシエーションにより移動元端末から移動先端末へサービスの切り替えが行えるか確認するステップと、切り替え可能な場合、移動先端末は、サービス切り替えサーバに対してユーザー端末切り替え要求を含む位置登録要求を行うステップと、サービス切り替えサーバは、移動先端末からの位置登録要求は同一ユーザーからのユーザー端末切り替え要求と判断し、移動元端末の位置情報を、移動先端末の位置情報に更新し、移動先端末に対して着信要求を行い、移動先端末とのセッション確立後、移動元端末のセッションを切断するステップとを含むことを特徴とする。
【０００６】
【特許文献１】特開２００２−０９４６７２号公報
【特許文献２】特開２００５−０６４６８６号公報
【発明の開示】
【発明が解決しようとする課題】
【０００７】
本発明の目的は、複数のユーザーにより複数のＩＰ電話端末を使用する環境において、ＩＰ電話端末を選ぶことなく、ユーザーの設定環境を、安全に使用することが可能なＩＰ電話端末の使用環境移行システムを提供することである。
本発明の他の目的は、複数のユーザーにより複数のＩＰ電話端末を使用する環境において、通話中の呼を保留することなく、ユーザーの設定環境と共に他のＩＰ電話端末へ移行することが可能なＩＰ電話端末の使用環境移行システムを提供することである。
【課題を解決するための手段】
【０００８】
本発明のＩＰ電話端末の使用環境移行システムは、ユーザーに一意に定められたユーザー情報を含めた個人認証要求を送信するＩＰ電話端末と、個人認証要求を受信すると、ユーザー情報に基づいてユーザーの個人認証を行う情報管理サーバとを備え、情報管理サーバは、ＩＰ電話端末の設定情報である端末利用環境情報をユーザー情報に対応させて保存し、ＩＰ電話端末は、個人認証が正しく行えた場合には、情報管理サーバから、ユーザー情報に対応する端末利用環境情報をダウンロードして、端末利用環境情報を設定した状態でＩＰ電話端末の機能を使用することが可能な使用可能状態へ移行し、個人認証が正しく行えない場合には、ＩＰ電話端末の使用可能な機能を制限する使用不可状態へ移行する。
【０００９】
本発明のＩＰ電話端末は、上述のＩＰ電話端末の使用環境移行システムにおいて使用する。
【００１０】
本発明のプログラムは、上述のＩＰ電話端末の機能をコンピュータにおいて実現する。
【００１１】
本発明の情報管理サーバは、上述のＩＰ電話端末の使用環境移行システムにおいて使用する。
【００１２】
本発明のＩＰ電話端末の使用環境移行方法は、ユーザーに一意に定められたユーザー情報を含めた個人認証要求を送信するステップと、個人認証要求を受信するステップと、ユーザー情報に基づいてユーザーの個人認証を行うステップと、ＩＰ電話端末の設定情報である端末利用環境情報をユーザー情報に対応させて保存するステップと、個人認証が正しく行えた場合には、情報管理サーバから、ユーザー情報に対応する端末利用環境情報をダウンロードして、端末利用環境情報を設定した状態でＩＰ電話端末の機能を使用することが可能な使用可能状態へ移行するステップと、個人認証が正しく行えない場合には、ＩＰ電話端末の使用可能な機能を制限する使用不可状態へ移行するステップとを備える。
【発明の効果】
【００１３】
本発明によれば、複数のユーザーにより複数のＩＰ電話端末を使用する環境において、ＩＰ電話端末を選ぶことなく、ユーザーの設定環境を、安全に使用することが可能なＩＰ電話端末の使用環境移行システムを提供することができる。
さらに、本発明によれば、複数のユーザーにより複数のＩＰ電話端末を使用する環境において、通話中の呼を保留することなく、ユーザーの設定環境と共に他のＩＰ電話端末へ移行することが可能なＩＰ電話端末の使用環境移行システムを提供することができる。
【発明を実施するための最良の形態】
【００１４】
添付図面を参照して、本発明の実施形態によるＩＰ電話端末の使用環境移行システムを以下に説明する。
【００１５】
［構成の説明］
始めに、本実施形態における、ＩＰ電話端末の使用環境移行システムの構成の説明を行う。図１は、本実施形態における、ＩＰ電話端末の使用環境移行システムの構成を示している。本実施形態における、ＩＰ電話端末の使用環境移行システムは、ＩＰ電話端末１００と、情報管理サーバ２００と、ネットワーク３００を備えている。
【００１６】
まず、ネットワーク３００の説明を行う。ネットワーク３００は、ＩＰ電話端末１００と情報管理サーバ２００との通信を接続するＩＰネットワークである。ネットワーク３００は、例えば、企業内で使用するＬＡＮ（Ｌｏｃａｌ  Ａｒｅａ  Ｎｅｔｗｏｒｋ）のようなネットワークである。ネットワーク３００は、ＩＰ電話端末１００が携帯型であり、無線を用いて通信を行うような場合には、無線アクセスポイント等の無線アクセスに必要な構成を備える。ネットワーク３００は、従来の技術で構成されるため詳細な説明を省略する。
【００１７】
次に、ＩＰ電話端末１００の説明を行う。ＩＰ電話端末１００は、情報管理サーバ２００に収容されるＶｏＩＰクライアント端末である。本実施形態において、ＩＰ電話端末１００は、ＳＩＰを用いてＶｏＩＰ通信を行うＳＩＰクライアントとして説明を行う。なお、ＶｏＩＰプロトコルは、ＳＩＰに限定しない。ＩＰ電話端末１００は、ネットワーク３００を介して、情報管理サーバ２００と通信が可能である。また、ＩＰ電話端末１００は、情報管理サーバ２００を経由して、他のＩＰ電話端末１００や、ネットワーク３００の外部の通信端末とのＶｏＩＰ通信が可能である。ＩＰ電話端末１００は、図に示すように複数存在する。
【００１８】
以下、図２を用いて、ＩＰ電話端末１００の構成を詳細に説明する。図２は、本実施形態における、ＩＰ電話端末１００の構成を示している。ＩＰ電話端末１００は、入力部１１０と、表示部１２０と、認証部１３０と、記憶部１４０と、通信部１５０と、制御部１６０とを備える。
【００１９】
まず、入力部１１０の説明を行う。入力部１１０は、キーボードや、マウス等の入力装置等からなる。入出力部２１０は、ＩＰ電話端末１００のユーザーとの、入力インターフェイスである。
【００２０】
次に、表示部１２０に説明を行う。表示部１２０は、ＬＣＤ（Ｌｉｑｕｉｄ  Ｃｒｙｓｔａｌ  Ｄｉｓｐｌａｙ）等からなる。表示部１２０は、ＩＰ電話端末１００のユーザーとの、出力インターフェイスである。
【００２１】
次に、認証部１３０の説明を行う。認証部１３０は、認証デバイス等からなる。本実施形態において、ユーザーの個人認証は、指紋認証を用いることとする。そのため、認証部１３０は、指紋認証装置を備える。認証部１３０は、ユーザーの指紋データを取り込み、制御部１６０へ出力する。なお、ユーザーの個人認証方法は、指紋認証に限定しない。例えば、ユーザーＩＤとパスワードを用いて認証を行う認証方法としてもよい。認証部１３０は、個人認証方法に対応する認証デバイスを備える。
【００２２】
次に、記憶部１４０の説明を行う。記憶部１４０は、ＲＯＭ（Ｒｅａｄ  Ｏｎｌｙ  Ｍｅｍｏｒｙ）や、ＲＡＭ（Ｒａｎｄｏｍ  Ａｃｃｅｓｓ  Ｍｅｍｏｒｙ）や、ハードディスク等で構成される。記憶部１４０は、ＩＰ電話端末１００の機能を実現するために必要な処理用プログラムやデータを保存している。
また、記憶部１４０は、端末利用環境情報１４１を保存している。端末利用環境情報１４１は、ＩＰ電話端末１００の設定情報である。端末利用環境情報１４１は、例えば、スケジュール帳や、電話帳や、発着信履歴や、壁紙や、着信音等の設定情報である。また、端末利用環境情報１４１は、ＩＰ電話端末１００側からの通信切替要求を行う場合における、通信の切替先となる他のＩＰ電話端末１００の電話番号を含む。また、端末利用環境情報１４１は、情報管理サーバ２００から付与された、認証有効期限情報を含む。なお、端末利用環境情報１４１は、これらに限らず、ユーザーがＩＰ電話端末１００に対して行う設定情報を広く含む。
【００２３】
次に、通信部１５０の説明を行う。通信部１５０は、通信ポート等で構成される。通信ポート１５０は、ネットワーク３００に接続して、ネットワーク３００で用いられる、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等のプロトコルに従って、情報管理サーバ２００と通信が可能である。通信部１５０は、ＩＰ電話端末１００が携帯型である場合は、無線通信用のアンテナや、無線通信の送受信部等の無線通信に必要な構成を有する。なお、これらについては、従来の技術を用いて構成されるため詳細な説明は省略する
【００２４】
次に、制御部１６０の説明を行う。制御部１６０は、ＣＰＵ（Ｃｅｎｔｒａｌ  Ｐｒｏｃｅｓｓｉｎｇ  Ｕｎｉｔ）等で構成される。制御部１６０は、記憶部１４０の処理用プログラムを読み込んで実行することによって、ＩＰ電話端末１００の機能を実現する。
制御部１６０は、ＳＩＰのＵＡ（Ｕｓｅｒ  Ａｇｅｎｔ）としての機能を実現する。すなわち、制御部１６０は、接続要求（ＩＮＶＩＴＥ）や、切断要求（ＢＹＥ）等の要求を情報管理サーバ２００へ送信する。また、制御部１６０は、情報管理サーバ２００〜転送された、他のＩＰ電話端末１００からの要求に許可応答（２００ＯＫ）等を送信して応答する。制御部１６０は、この他にＳＩＰによる呼制御メッセージを送信し、情報管理サーバ２００の仲介を経て、他のＩＰ電話端末１００や、図示されない外部ネットワークの通信端末とＶｏＩＰ通信を行うことができる。
【００２５】
また、制御部１６０は、ＩＰ電話端末１００の使用状態を管理する。制御部１６０は、ＩＰ電話端末１００の使用状態を、使用可能状態と使用不可状態の間で移行させる。使用可能状態は、ユーザーがＩＰ電話端末１００の各機能を使用できる状態である。使用不可状態は、ユーザーがＩＰ電話端末１００を、一部の機能を除いて使用できない状態である。使用不可状態にあるＩＰ電話端末１００において、ユーザーは、個人認証要求を行う以外の機能を使用できない。ユーザーは、個人認証処理が正しく行われ、ＩＰ電話端末１００の使用状態を使用不可状態から使用可能状態へ移行しなければ、ＩＰ電話端末１００のその他の機能を使用することができない。これによって、ＩＰ電話端末１００のセキュリティを確保することができる。なお、ＩＰ電話端末１００が使用付加状態にある場合に使用できる機能はこれに限らず、個人認証要求以外にいくつかの機能が使用可能であってもよい。
【００２６】
制御部１６０は、認証部１３０が出力する指紋データを入力し、個人認証要求と共に、通信部１５０を介して情報管理サーバ２００へ送信する。
制御部１６０は、情報管理サーバ２００において、個人認証処理が正しく行われた場合、情報管理サーバ２００から端末利用環境情報１４１をダウンロードして、記憶部１４０へ保存する。制御部１６０は、端末利用環境情報１４１を反映して、ＩＰ電話端末１００で端末利用環境情報１４１を使用可能にする。制御部１６０は、ＩＰ電話端末１００の使用状態を使用不可状態から使用可能状態へ移行する。制御部１６０は、ＩＰ電話端末１００の使用状態を使用可能状態へ移行にすると、情報管理サーバ２００へ、使用可能通知を送信する。制御部１６０は、情報管理サーバ２００から受信する認証有効期限情報を、端末利用環境情報１４１へ保存する。制御部１６０は、認証有効期限情報を管理し、認証有効期限が経過すると、ユーザーへ再度の個人認証を行うように促す。なお、制御部１６０は、認証有効期限が経過すると、使用不可状態へ移行して、再度、個人認証が正しく行われるまでは、使用不可状態を維持してもよい。
【００２７】
一方、情報管理サーバ２００において、個人認証処理が正しく行われなかった場合、制御部１６０は、記憶部１４０の端末利用環境情報１４１を削除する。制御部１６０は、ＩＰ電話端末１００の使用状態を使用不可状態へ移行する。制御部１６０は、ＩＰ電話端末１００の使用状態を使用不可状態へ移行にすると、情報管理サーバ２００へ、使用不可通知を送信する。制御部１６０は、ＩＰ電話端末１００の使用状態を使用不可へ移行すると、再度、個人認証処理が正しく行われるまでは使用不可状態を維持する。
【００２８】
また、制御部１６０は、ユーザーが入力部１１０へ行う設定入力に基づいて、端末利用環境情報１４１の設定をカスタマイズ（設定変更）する。制御部１６０は、記憶部１４０に保存されている端末利用環境情報１４１を、情報管理サーバ２００へアップロードする。端末利用環境情報１４１のアップロードは、定期的に行っても良いし、ユーザーから入力部１１０への入力に基づいて行っても良い。
【００２９】
また、制御部１６０は、図示されないＩＰ電話端末１００の電源の状態を監視する。あるいは、制御部１６０は、ＩＰ電話端末１００が携帯型であって無線による通信を行う場合に、電波の受信状態を監視する。制御部１６０は、ＩＰ電話端末１００の電池残量が低下してきた場合や、電波受信レベルが弱まってきた場合において、このままでは情報管理サーバ２００と通信を行うことができなくなる判定した時は、情報管理サーバ２００へ対して通信切替要求を送信する。制御部１６０は、電池残量や、電波受信状態に対する閾値が設けられており、一定ルールに基づいて閾値を下回った場合に、情報管理サーバ２００と通信を行うことができなくなる判定する。また、制御部１６０は、認証有効期限が経過した時にも、通信切替要求を送信してもよい。なお、制御部１６０は、情報管理サーバ２００への通信切替要求が失敗したときには、通信切替要求の再送を行う。
【００３０】
次に、情報管理サーバ２００の説明を行う。情報管理サーバ２００は、ＩＰ電話端末１００を収容するＶｏＩＰサーバとしての機能を有する。情報管理サーバ２００は、ＩＰ電話端末１００間のＶｏＩＰ通信の接続する。情報管理サーバ２００は、ＩＰ電話端末１００と外部ネットワークの通信端末との通信を接続する。また、情報管理サーバ２００は、ＩＰ電話端末１００に関する認証情報や設定情報を管理する。
【００３１】
以下、図３を用いて、情報管理サーバ２００の構成を詳細に説明する。図３は、本実施形態における、情報管理サーバ２００の構成を示している。情報管理サーバ２００は、入出力部２１０と、記憶部２２０と、通信部２３０と、制御部２４０とを備える。
【００３２】
まず、入出力部２１０の説明を行う。入出力部２１０は、キーボードや、マウス等の入力装置と、ＬＣＤ（Ｌｉｑｕｉｄ  Ｃｒｙｓｔａｌ  Ｄｉｓｐｌａｙ）等の出力装置からなる。入出力部２１０は、情報管理サーバ２００を操作する操作者とのユーザーインターフェイスである。
【００３３】
次に、記憶部２２０の説明を行う。記憶部２２０は、ＲＯＭやＲＡＭやハードディスク等で構成される。記憶部２２０は、情報管理サーバ２００の機能を実現するために必要な処理用プログラムやデータを保存している。記憶部２２０は、ＳＩＰサーバの機能である、ＩＰ電話端末１００のロケーション情報を保存する機能（ロケーション管理機能）を有する。ロケーション管理機能はＳＩＰサーバにおける従来の機能であるので詳細な説明は省略する。なお、ロケーション管理機能は、別に設置されたロケーション管理サーバとして実現される場合がある。また、記憶部２２０は、個人認証データベース２２１と、端末利用環境情報データベース２２２を備える。
【００３４】
まず、個人認証データベース２２１は、ＩＰ電話端末１００使用する個人認証を行うための認証データを保存している。認証データは、情報管理サーバ２００の管理者によって、予め個人認証データベース２２１へ保存される。本実施形態において、ＩＰ電話端末１００のユーザーは、ＩＰ電話端末１００に備えられた指紋認証デバイスによって指紋認証を行う。個人認証データベース２２１は、指紋認証に必要な指紋パターンデータを保存している。なお、ＩＰ電話端末１００の個人認証方法は、この他の手段によっても実現は可能であり、これには限定しない。個人認証データベース２２１は、個人認証方法に対応する保存する認証用データを保存する。
【００３５】
次に、端末利用環境情報データベース２２２は、ＩＰ電話端末１００からアップロードされた、ユーザー毎のＩＰ電話端末１００の端末利用環境情報１４１を保存している。端末利用環境情報データベース２２２は、ユーザー毎の端末利用環境情報１４１を、ユーザー毎に一意に割り当てられた「ユーザーＩＤ」に対応させて保存している。ユーザーに対応する端末利用環境情報データは、このユーザー識別番号を用いて抽出することが可能である。
【００３６】
次に、通信部２３０の説明を行う。通信部２３０は、通信ポート等で構成される。通信部２３０は、通進ポートを複数備える場合がある。通信部２３０は、ネットワーク３００に接続し、ネットワーク３００で用いる、ＴＣＰ／ＩＰ等のプロトコルに従って、ＩＰ電話端末１００と通信が可能である。また、通信部２３０は、図示されないルータ等によるゲートウェイを介して、図示されない外部ネットワークと通信が可能である。なお、情報管理サーバ２００が外部ネットワークとのゲートウェイ機能を果たす場合がある。その場合、通信部２３０は、外部ネットワークに接続し、外部ネットワークで用いる、ＴＣＰ／ＩＰ等のプロトコルに従って通信を行うことが可能である。
【００３７】
次に、制御部２４０の説明を行う。制御部２４０は、ＣＰＵ（Ｃｅｎｔｒａｌ  Ｐｒｏｃｅｓｓｉｎｇ  Ｕｎｉｔ）等で構成される。制御部２４０は、記憶部２２０の処理用プログラムを読み込んで実行することによって、情報処理サーバ２００の機能を実現する。また、制御部２４０は、端末管理部２４１と、呼制御部２４２を備える。
【００３８】
まず、端末管理部２４１は、ＩＰ電話端末１００からの個人認証要求を受け付けて、記憶部２２０の個人認証データベース２２１に保存された認証データに基づいて個人認証を行う。端末管理部２４１は、個人認証が正しい場合は、認証有効期限情報を含めた個人認証完了応答を送信する。端末管理部２４１は、ＩＰ電話端末１００から端末利用環境情報１４１のダウンロード要求を受け付け、ユーザーのユーザーＩＤに対応する端末利用環境情報１４１を記憶部２２０から取得し、ＩＰ電話端末１００へ端末利用環境情報１４１をダウンロードする。
端末管理部２４１は、個人認証を行ったユーザーが他のＩＰ電話端末１００を使用しているか呼制御部２４２へ問い合せる。端末管理部２４１は、個人認証を行ったユーザーが他のＩＰ電話端末１００を使用している場合は、他のＩＰ電話端末１００へ端末利用環境の削除要求を送信する。
また、個人認証を行ったユーザーが他のＩＰ電話端末１００で通話している場合、端末管理部２４１は、呼制御部２４２に、他のＩＰ電話端末１００から個人認証を行ったＩＰ電話端末１００へ通信を転送させる。端末管理部２４１は、個人認証を行ったＩＰ電話端末１００の電話番号と、個人認証を行った個人のユーザーＩＤを含めた通信転送命令を、呼制御部２４２へ出力する。この場合も、端末管理部２４１は、他のＩＰ電話端末１００へ端末利用環境の削除要求を送信する。
一方、端末管理部２４１は、個人認証が正しくない場合は、ＩＰ電話端末１００へ、個人認証不可応答を送信する。
また、端末管理部２４１は、ＩＰ電話端末１００からの端末利用環境情報１４１のアップロード要求を受け付け、受信した端末利用環境情報１４１をユーザーＩＤに対応させて、記憶部２２０の端末利用環境情報データベース２２２へ保存する。
なお、端末管理部２４１は、複数のＩＰ電話端末１００から、同じユーザーＩＤのユーザーからの個人認証要求を同時に受信した場合は、最後に個人認証が正しく行われたＩＰ電話端末１００に対して、個人認証完了応答を送信するようにしても良い。
【００３９】
次に、呼制御部２４２は、ＶｏＩＰサーバ機能を有する。本実施形態において、ＶｏＩＰ通信はＳＩＰを用いて行われる。呼制御部２４２は、ＳＩＰサーバとしての機能を有する。すなわち、呼制御部２４２は、ＩＰ電話端末１００の登録要求を受け付けて記憶部２００へロケーションデータを登録する機能（レジストラ機能）、ＩＰ電話端末１００からの接続要求等の呼制御メッセージを転送する機能（プロキシ機能）、ＩＰ電話端末１００からロケーション情報等の問合せに応答する機能（リダイレクト機能）を有する。これらの機能は、ＳＩＰサーバにおける従来の機能であるので詳細な説明は省略する。呼制御部２４２は、これらのＳＩＰサーバ機能と、記憶部２２０の保存するロケーションデータを用いて、ＩＰ電話端末１００のＶｏＩＰ通信を接続する。なお、これらのＳＩＰサーバ機能は、各機能毎にそれぞれ異なるサーバとして設置され実現される場合がある。
また、呼制御部２４２は、通信を行っているＩＰ電話端末１００の電話番号とユーザーＩＤを対応して記憶している。呼制御部２４２は、ＩＰ電話端末１００から他のＩＰ電話端末１００への通信の転送を行う。呼制御部２４２は、端末管理部２４１からの通信転送命令を入力する。呼制御部２４２は、通信転送命令に含まれるユーザーＩＤが使用しているＩＰ電話端末１００の通信を、通信転送命令に含まれるＩＰ電話端末１００の電話番号へ、転送を行う。
また、呼制御部２４２は、ＩＰ電話端末１００から通信転送要求を入力すると、通信の転送を行う。呼制御部２４２は、通信転送要求を送信してきたＩＰ電話端末１００の通信を、通信転送要求に含まれる転送先のＩＰ電話端末１００の電話番号へ転送する。
【００４０】
以上が、本実施形態における、ＩＰ電話端末の使用環境移行システムの構成の説明である。
【００４１】
［動作方法の説明］
次に、図４から図６を用いて、本実施形態における、ＩＰ電話端末の使用環境移行システムの動作方法を説明する。図４から図６は、本実施形態における、ＩＰ電話端末の使用環境移行システムの動作フローを示している。まず、図４は、本実施形態における、新たにＩＰ電話端末１００を使用する場合の、ＩＰ電話端末の使用環境移行システムの動作フローを示している。
なお、以下、動作方法の説明において、区別のために、ユーザーが新たに個人認証を行い、これから使用するＩＰ電話端末１００を「ＩＰ電話端末Ａ１００」と表記する。さらに、区別のためにＩＰ電話端末Ａ１００の構成部位名称において、符号の前に「Ａ」を付して表記する。また、ユーザーが既に使用しているＩＰ電話端末１００を「ＩＰ電話端末Ｂ１００」と呼ぶ。さらに、区別のためにＩＰ電話端末Ｂ１００の構成部位名称において、符号の前に「Ｂ」を付して表記する。
【００４２】
（ステップＳ１０）
本動作の初期状態として、ＩＰ電話端末Ａ１００の使用状態は、使用不可状態であるとする（ステップＳ１１０からの帰還時を除く）。ユーザーは、ＩＰ電話端末Ａ１００が使用不可状態において、個人認証を行う以外の機能を使用することができない。ユーザーは、ＩＰ電話端末Ａ１００の使用状態を使用可能状態にするために、個人認証要求を入力部１１０へ入力する。ユーザーは、入力部Ａ１１０へユーザーＩＤを入力し、認証部Ａ１３０の認証デバイスへ指を接触させる。認証部Ａ１３０は、ユーザーの指紋データを取得して、制御部Ａ１６０へ出力する。制御部Ａ１６０は、ユーザーＩＤと指紋データを含めた個人認証要求を、通信部Ａ１５０を介して情報管理サーバ２００へ送信する。
【００４３】
（ステップＳ２０）
情報管理サーバ２００の端末管理部２４１は、通信部２３０を介して、個人認証要求を受信する。端末管理部２４１は、個人認証要求に含まれるユーザーＩＤに対応する記憶部２２０の個人認証データベース２２１に記録された指紋パターンと、個人認証要求に含まれる指紋パターンに基づいて、個人認証処理を行う。個人認証が正しくない場合、ステップＳ３０へ進む。一方、個人認証が正しい場合、ステップＳ５０へ進む。なお、個人認証方法は、本説明で説明する指紋認証に限定しない。
【００４４】
（ステップＳ３０）
端末管理部２４１は、個人認証が正しくない場合、個人認証不可応答を、通信部２３０を介して、ＩＰ電話端末Ａ１００へ送信する。ＩＰ電話端末Ａ１００の制御部Ａ１６０は、通信部Ａ１５０を介して、個人認証不可応答を入力する。制御部Ａ１６０は、記憶部Ａ１４０の端末利用環境Ａ１４１を削除する。
【００４５】
（ステップＳ４０）
制御部Ａ１６０は、ＩＰ電話端末Ａ１００の使用状態を使用不可状態にする（あるいは、使用不可状態のまま変更しない）。制御部Ａ１６０は、再度認証を行うよう促す表示を表示部Ａ１２０へ出力し、ユーザーの個人認証が正しく行われるまで、ＩＰ電話端末Ａ１００の使用状態を使用不可状態のまま維持する。なお、制御部Ａ１６０は、ＩＰ電話端末Ａ１００を使用不可状態にすると同時に、情報管理サーバ２００へ、通信部Ａ１５０を介して使用不可通知を送信する。情報管理サーバ２００の呼制御部２４２は、通信部２３０を介して使用不可通知を入力し、ＩＰ電話端末Ａ１００が使用不可状態であることを検知する。この後、ステップＳ１０へ戻る。
【００４６】
（ステップＳ５０）
端末管理部２４１は、個人認証が正しい場合、端末管理部２４１は、当該ユーザーが他のＩＰ電話端末１００（ＩＰ電話端末Ｂ１００）を使用しているかを、呼制御部２４２へ問合せる。呼制御部２４２は、ユーザーＩＤに基づいて、当該ユーザーＩＤに対応するユーザーがＩＰ電話端末Ｂ１００を使用中であるかを確認する。当該ユーザーがＩＰ電話端末Ｂ１００を使用中の場合、後述する図５のステップＳ２００へ進む。一方、当該ユーザーがＩＰ電話端末Ｂ１００を使用していない場合、ステップＳ６０へ進む。
【００４７】
（ステップＳ６０）
当該ユーザーがＩＰ電話端末Ｂ１００を使用していない場合、呼制御部２４２は、当該ユーザーがＩＰ電話端末Ｂ１００を使用していない旨を、未使用応答として、端末管理部２４１へ応答する。端末管理部２４１は、未使用応答を受けると、記憶部２２０の端末利用環境情報データベース２２２から、ユーザーＩＤに対応する端末利用環境情報１４１を抽出する。端末管理部２４１は、認証有効期限を含めた個人認証完了応答を、通信部２３０を介して、ＩＰ電話端末Ａ１００へ送信する。ＩＰ電話端末Ａ１００の制御部Ａ１６０は、通信部Ａ１５０を介して個人認証完了応答を入力する。制御部Ａ１６０は、個人認証完了応答に含まれる認証有効期限を、記憶部Ａ１４０の端末利用環境情報Ａ１４１へ保存する。制御部Ａ１６０は、端末利用環境情報１４１のダウンロード（以下、ＤＬ）要求を、通信部Ａ１５０を介して、情報管理サーバ２００へ送信する。情報管理サーバ２００の端末管理部２４１は、通信部２３０を介して、端末利用環境情報ＤＬ要求を受信する。端末管理部２４１は、端末利用環境ＤＬ応答と共に、ユーザーＩＤに対応する端末利用環境情報１４１を、通信部２３０を介して、ＩＰ電話端末Ａ１００へ送信する。ＩＰ電話端末Ａ１００の制御部Ａ１６０は、通信部Ａ１５０を介して、端末利用環境情報Ａ１４１を受信する。
【００４８】
（ステップＳ７０）
制御部Ａ１６０は、端末利用環境情報Ａ１４１を記憶部Ａ１４０へ保存する。制御部Ａ１６０は、端末利用環境情報Ａ１４１を反映する。制御部Ａ１６０は、ＩＰ電話端末Ａ１００の使用状態を使用可能状態へ移行する。これによってユーザーは、当該ユーザーの端末利用環境情報Ａ１４１の反映されたＩＰ電話端末Ａ１００を使用することができるようになる。なお、制御部Ａ１６０は、ＩＰ電話端末Ａ１００を使用可能状態にすると同時に、情報管理サーバ２００へ、通信部Ａ１５０を介して使用可能通知を送信する。情報管理サーバ２００の呼制御部２４２は、通信部２３０を介して使用可能通知を入力し、ＩＰ電話端末Ａ１００が使用可能状態であることを検知する。
【００４９】
（ステップＳ８０）
ユーザーは、使用可能状態となったＩＰ電話端末Ａ１００において、入力部Ａ１１０からＩＰ電話端末Ａ１００の設定変更を行う。制御部Ａ１６０は、入力部Ａ１１０からの入力により行われた設定変更に基づいて、記憶部Ａ１４０の端末利用環境情報Ａ１４１を更新する。
【００５０】
（ステップＳ９０）
制御部Ａ１６０は、端末利用環境情報Ａ１４１を、情報管理サーバ２００へ、アップロード（以下、ＵＬ）する。制御部Ａ１６０は、記憶部Ａ１４０に保存された端末利用環境情報Ａ１４１とユーザーＩＤとを含めた端末利用環境ＵＬ要求を、情報管理サーバ２００へ、通信部Ａ１５０を介して送信する。情報管理サーバ２００の端末管理部２４１は、通信部２３０を介して、端末利用環境ＵＬ要求を受信する。端末管理部２４１は、端末利用環境ＵＬ要求に含まれた、端末利用環境情報Ａ１４１を、記憶部２２０の端末利用環境情報データベース２２２へ、ユーザーＩＤに対応させて保存（あるいは更新）する。なお、アップロードは、定期的に定められた時刻をトリガとして行っても良いし、ユーザーの入力部１１０への入力をトリガとして行っても良い。アップロードのトリガは、特に限定しない。
【００５１】
（ステップＳ１００）
ユーザーが、ＩＰ電話端末Ａ１００の使用を続ける内に、ＩＰ電話端末Ａ１００の電源残量が少なくなる。制御部Ａ１６０は、ＩＰ電話端末Ａ１００の電源残量が、予め定められた閾値より低くなると、図示されない電源部から警告を通知される。
あるいは、ユーザーが、ＩＰ電話端末Ａ１００の使用を続ける内に、ＩＰ電話端末Ａ１００の電波状態が悪くなる。制御部Ａ１６０は、ＩＰ電話端末Ａ１００の電波状態が、予め定められた閾値より低くなると、通信部Ａ１５０から警告を通知される。
制御部Ａ１６０が、電源残量や電波状態の警告を検知した場合は、後述する、図６のステップＳ３００へ進む。一方、制御部Ａ１６０が、電源残量や電波状態の警告を検知しない場合は、ステップＳ１１０へ進む。
【００５２】
（ステップＳ１１０）
制御部Ａ１６０は、記憶部Ａ１４０の端末利用環境情報Ａ１４１に記録された、認証有効期限を監視している。制御部Ａ１６０は、認証有効期限が期限切れになった場合（あるいは、期限切れになる直前でも良い）、認証有効期限が切れている旨の表示を、表示部Ａ１２０へ出力して、ユーザーへ個人認証を行うように促す。この場合、ステップＳ１０へ戻る。
【００５３】
以上が、本実施形態における、新たにＩＰ電話端末１００を使用する場合の、ＩＰ電話端末の使用環境移行システムの動作方法の説明である。
【００５４】
次に、図５を用いて、本実施形態における、ユーザーが他のＩＰ電話端末（ＩＰ電話端末Ｂ）を使用している時の、ＩＰ電話端末の使用環境移行システムの動作方法の説明を行う。図５は、本実施形態における、ユーザーが他のＩＰ電話端末を使用している時の、ＩＰ電話端末の使用環境移行システムの動作フローを示している。
【００５５】
（ステップＳ２００）
前述の図４のステップＳ５０より、ユーザーがＩＰ電話端末Ｂ１００を使用中の場合、情報管理サーバ２００の呼制御部２４２は、ユーザーが、ＩＰ電話端末Ｂ１００を使用して通話中であるかを、ユーザーＩＤに基づいて確認する。通話中である場合は、ステップＳ２１０へ進む。通話中でない場合は、ステップＳ２４０へ進む。
【００５６】
（ステップＳ２１０）
ユーザーがＩＰ電話端末Ｂ１００を使用して通話中である場合、呼制御部２４２は、当該ユーザーはＩＰ電話端末Ｂ１００を使用して通話中である旨を、通話中応答として、端末管理部２４１へ応答する。端末管理部２４１は、通話中応答を受けると、記憶部２２０の端末利用環境情報データベース２２２から、ユーザーＩＤに対応する端末利用環境情報１４１を抽出する。端末管理部２４１は、認証有効期限を含めた個人認証完了応答を、通信部２３０を介して、ＩＰ電話端末Ａ１００へ送信する。ＩＰ電話端末Ａ１００の制御部Ａ１６０は、通信部Ａ１５０を介して個人認証完了応答を入力する。制御部Ａ１６０は、個人認証完了応答に含まれる認証有効期限を、記憶部Ａ１４０の端末利用環境Ａ１４１へ記録する。制御部Ａ１６０は、端末利用環境情報ＤＬ要求を、通信部Ａ１５０を介して、情報管理サーバ２００へ送信する。情報管理サーバ２００の端末管理部２４１は、通信部２３０を介して、端末利用環境情報ＤＬ要求を入力する。端末管理部２４１は、端末利用環境ＤＬ応答と共に、ユーザーＩＤに対応する端末利用環境情報Ａ１４１を、通信部２３０を介して、ＩＰ電話端末Ａ１００へ送信する。ＩＰ電話端末Ａ１００の制御部Ａ１６０は、通信部Ａ１５０を介して、端末利用環境情報Ａ１４１を受信する。
【００５７】
（ステップＳ２２０）
ＩＰ電話端末Ａ１００の制御部Ａ１６０は、端末利用環境情報Ａ１４１を記憶部Ａ１４０へ保存する。制御部Ａ１６０は、端末利用環境情報Ａ１４１を反映する。制御部Ａ１６０は、ＩＰ電話端末Ａ１００の使用状態を使用可能状態へ移行する。これによってユーザーは、当該ユーザーの端末利用環境情報Ａ１４１の反映されたＩＰ電話端末Ａ１００を使用することができるようになる。なお、制御部Ａ１６０は、ＩＰ電話端末Ａ１００を使用可能状態にすると同時に、情報管理サーバ２００へ、通信部Ａ１５０を介して使用可能通知を送信する。情報管理サーバ２００の呼制御部２４２は、通信部２３０を介して使用可能通知を入力し、ＩＰ電話端末Ａ１００が使用可能状態であることを検知する。
【００５８】
（ステップＳ２３０）
端末管理部２４１は、ＩＰ電話端末Ａ１００が使用可能状態となると、呼制御部２４２へ、ＩＰ電話端末Ａ１００の電話番号を含めた通信転送命令を出力する。なお、端末管理部２４１は、ＩＰ電話端末Ａ１００からの個人認証要求や、端末利用環境情報ＤＬ要求等から、ＩＰ電話端末Ａ１００の電話番号を取得する。呼制御部２４２は、ＩＰ電話端末Ｂ１００の行う通信を、ＩＰ電話端末Ａ１００に転送する。このとき、ＩＰ電話端末Ａ１００の制御部Ａ１６０は、転送された通信を接続すると、自動的に応答（オフフック動作）を行う。そのため、ＩＰ電話端末Ａ１００は、通信が転送されると同時に通話状態となる。一方で、ＩＰ電話端末Ｂ１００の制御部Ｂ１６０は、ＩＰ電話端末Ａ１００への通信転送が完了すると、通信を開放する。また、制御部Ａ１６０及び制御部Ｂ１６０は、それぞれ表示部Ａ１２０及び表示部Ｂ１２０へ通信の転送を行った旨を表示する。呼制御部２４２は、ＩＰ電話端末Ｂ１００の行う通信をＩＰ電話端末Ａ１００へ転送すると、端末管理部２４１へ、通信転送完了通知を出力する。端末管理部２４１は、通信転送完了通知を入力すると、通信の転送が完了したと検知する。その後、ステップＳ２６０へ進む。
【００５９】
（ステップＳ２４０）
ユーザーがＩＰ電話端末Ｂ１００を使用しているが通話中でない場合、呼制御部２４２は、当該ユーザーはＩＰ電話端末Ｂ１００を使用しているが通話中ではない旨を、使用中応答として、端末管理部２４１へ応答する。端末管理部２４１は、使用中応答を受けると、記憶部２２０の端末利用環境情報データベース２２２から、ユーザーＩＤに対応する端末利用環境情報Ａ１４１を抽出する。以下は、ステップＳ２１０において、ＩＰ電話端末Ａ１００が端末利用環境をＤＬする動作方法と同様であるので説明を省略する。
【００６０】
（ステップＳ２５０）
ステップＳ２５０は、ステップＳ２２０において、ＩＰ電話端末Ａ１００が端末利用環境１４１を反映して、使用状態を使用可能へ移行する動作方法と同様であるので説明を省略する。
【００６１】
（ステップＳ２６０）
端末管理部２４１は、ＩＰ電話端末Ｂ１００へ、端末利用環境情報削除要求を、通信部２３０を介して送信する。ＩＰ電話端末Ｂ１００の制御部Ｂ１６０は、端末利用環境情報削除要求を、通信部Ｂ１５０を介して受信する。制御部Ｂ１６０は、記憶部Ｂ１４０に保存された端末利用環境Ｂ１４１を削除する。
【００６２】
（ステップＳ２７０）
制御部Ｂ１６０は、ＩＰ電話端末Ｂ１００の使用状態を使用不可状態にする。制御部Ｂ１６０は、ユーザーの個人認証が正しく行えるまで、ＩＰ電話端末Ｂ１００の使用状態を使用不可状態のまま維持する。なお、制御部Ｂ１６０は、ＩＰ電話端末Ｂ１００を使用不可状態にすると同時に、情報管理サーバ２００へ、通信部Ｂ１５０を介して使用不可通知を送信する。情報管理サーバ２００の呼制御部２４２は、通信部２３０を介して使用不可通知を入力し、ＩＰ電話端末Ｂ１００が使用不可状態であることを検知する。この後、前述のステップＳ８０へ戻る。
【００６３】
以上が、本実施形態における、ユーザーが他のＩＰ電話端末を使用している時の、ＩＰ電話端末の使用環境移行システムの動作方法の説明である。
【００６４】
次に、図６を用いて、本実施形態における、ユーザーが転送先電話番号を設定している時の、ＩＰ電話端末の使用環境移行システムの動作方法の説明を行う。図６は、本実施形態における、ユーザーが転送先電話番号を設定している時の、ＩＰ電話端末の使用環境移行システムの動作フローを示している。なお、以下、動作方法の説明において、区別のために、ユーザーが転送先として設定したＩＰ電話端末１００を「ＩＰ電話端末Ｃ１００」と表記する。さらに、区別のためにＩＰ電話端末Ｃ１００の構成部位名称の符号の前に「Ｃ」を付して表記する。
【００６５】
（ステップＳ３００）
図４のステップＳ１００より、ＩＰ電話端末Ａ１００の制御部Ａ１６０が、電源残量や電波状態の警告を検知した場合で、ＩＰ電話端末Ａ１００が通話中である場合は、ステップＳ３１０へ進む。一方、ＩＰ電話端末Ａ１００が通話中でない場合は、ステップＳ３７０へ進む。
【００６６】
（ステップＳ３１０）
ＩＰ電話端末Ａ１００が通話中である場合、制御部Ａ１６０は、記憶部Ａ１４０の端末利用環境情報Ａ１４１に含まれる、ＩＰ電話端末Ａ１００側からの自動通信切替時における、通信の切替先となる他のＩＰ電話端末Ｃ１００の電話番号（以下、切替先電話番号）を取得する。制御部Ａ１６０は、切替先電話番号を含めた通信切替要求を、通信部Ｃ１５０を介して、情報管理サーバ２００へ送信する。制御部Ａ１６０は、表示部Ａ１２０へ、例えば、「電池残量警告、ＩＰ電話端末Ｃ１００へ通話を転送します。ＩＰ電話端末Ｃで個人認証処理を行ってください。」というような警告を表示する。
なお、制御部Ａ１６０は、通信切替要求を送信すると、一時的に端末のキー操作等をロックして、ＩＰ電話端末Ａ１００の操作を行えないようにしても良い。
情報管理サーバ２００の呼制御部２４２は、通信部２３０を介して、通信切替要求を受信する。呼制御部２４２は、ＩＰ電話端末Ａ１００への通信を保留状態にする。呼制御部２４２は、端末管理部２４１へ通信切替通知を出力する。端末管理部２４１は、切替先電話番号を有するＩＰ電話端末Ｃ１００からの個人認証要求を待って待機する。
【００６７】
（ステップＳ３２０）
ユーザーは、ＩＰ電話端末Ｃ１００の使用状態を使用可能状態にするために、個人認証を行う。本ステップにおける、ＩＰ電話端末Ｃ１００の個人認証処理は、ステップＳ１０で説明したＩＰ電話端末Ａ１００の動作と同様であるので説明を省略する。
【００６８】
（ステップＳ３３０）
情報管理サーバ２００の端末管理部２４１は、通信部２３０を介して、ＩＰ電話端末Ｃ１００からの個人認証要求を受信する。端末管理部２４１は、個人認証要求に含まれるユーザーＩＤに対応する記憶部２２０の個人認証データベース２２１に記録された指紋パターンと、個人認証要求に含まれる指紋パターンに基づいて、個人認証処理を行う。個人認証が正しい場合、ステップＳ３４０へ進む。一方、個人認証が正しくない場合、ステップＳ３２０へ戻る。
なお、ＩＰ電話端末Ｃ１００において、個人認証処理が行われずに、別の端末である、ＩＰ電話端末Ｂ１００において、個人認証処理が行われることも考えられる。その場合は、前述のステップＳ２１０からステップＳ２３０で説明を行ったように、ＩＰ電話端末Ａ１００の通信をＩＰ電話端末Ｂ１００へ転送を行っても良い。
また、例えば、ＩＰ電話端末Ｃ１００が、別のユーザーによって通話中であるような場合考えられる。その場合には、ＩＰ電話端末Ａ１００の制御部Ａ１６０は、ＩＰ電話端末Ｃ１００への切替不可である旨と、ユーザーに別の端末であるＩＰ電話端末Ｂ１００において個人認証処理を行うように促す表示を、表示部Ａ１２０へ表示してもよい。
この場合、制御部Ａ１６０は、ＩＰ電話端末Ａ１００を一時的にキー操作等をロックしている場合にはロックを解除して、ＩＰ電話端末Ａ１００の操作を行えるようにしても良い。
【００６９】
（ステップＳ３４０〜ステップＳ３６０）
ステップＳ３４０からステップＳ３６０で行われる、個人認証が正しい場合のＩＰ電話端末Ａ１００からＩＰ電話端末Ｃ１００への通信転送処理は、ステップＳ２１０からステップＳ２３０で説明を行った、ＩＰ電話端末Ｂ１００からＩＰ電話端末Ａ１００への通信転送処理において、動作主体を置き換えた場合と同様であるので説明を省略する。ＩＰ電話端末Ｃ１００への通信転送処理が完了すると、ステップＳ４１０へ進む。
【００７０】
（ステップＳ３７０）
ユーザーは、ＩＰ電話端末Ｃ１００の使用状態を使用可能にするために、個人認証処理を行う。本ステップにおける、ＩＰ電話端末Ｃ１００の個人認証処理は、ステップＳ１０で説明したＩＰ電話端末Ａ１００の動作と同様であるので説明を省略する。
【００７１】
（ステップＳ３８０）
情報管理サーバ２００の端末管理部２４１は、通信部２３０を介して、ＩＰ電話端末Ｃ１００からの個人認証要求を受信する。端末管理部２４１は、個人認証要求に含まれるユーザーＩＤに対応する記憶部２２０の個人認証データベース２２１に記録された指紋パターンと、個人認証要求に含まれる指紋パターンに基づいて、個人認証処理を行う。個人認証が正しい場合、ステップＳ３９０へ進む。一方、個人認証が正しくない場合、ステップＳ３７０へ戻る。
なお、ＩＰ電話端末Ｃ１００において、個人認証処理が行われずに、別の端末である、ＩＰ電話端末Ｂ１００において、個人認証処理が行われることも考えられる。その場合は、前述のステップＳ２１０からステップＳ２３０で説明を行ったように、ＩＰ電話端末Ａ１００の通信をＩＰ電話端末Ｂ１００へ転送を行っても良い。
また、例えば、ＩＰ電話端末Ｃ１００が、別のユーザーによって通話中であるような場合考えられる。その場合には、ＩＰ電話端末Ａ１００の制御部Ａ１６０は、ＩＰ電話端末Ｃ１００への切替不可である旨と、ユーザーに別の端末であるＩＰ電話端末Ｂ１００において個人認証処理を行うように促す表示を、表示部Ａ１２０へ表示してもよい。
【００７２】
（ステップＳ３９０〜ステップＳ４００）
ステップＳ３９０〜ステップＳ４００で行われる、ＩＰ電話端末Ｃ１００への端末利用環境情報１４１のＤＬ動作方法と反映動作方法は、ステップＳ２４０からステップＳ２５０で説明を行った、ＩＰ電話端末Ａ１００への端末利用環境情報１４１のＤＬ動作方法と反映動作方法において、動作主体を置き換えた場合と同様であるので説明を省略する。ＩＰ電話端末Ｃ１００への端末切替処理が完了すると、ステップＳ４１０へ進む。
【００７３】
（ステップＳ４１０〜ステップＳ４２０）
ステップＳ４１０〜ステップＳ４２０で行われる、ＩＰ電話端末Ａ１００での端末利用環境情報Ａ１４１の削除処理と、ＩＰ電話端末Ａ１００の使用状態を使用不可状態へ移行する動作方法は、ステップＳ２６０からステップＳ２７０で説明を行った、ＩＰ電話端末Ｂ１００での端末利用環境情報Ｂ１４１の削除処理と、ＩＰ電話端末Ｂ１００の使用状態を使用不可状態へ移行する動作方法において、動作主体を置き換えた場合と同様であるので説明を省略する。これらの処理が完了すると、ステップＳ４３０へ進む。
【００７４】
（ステップＳ４３０）
ＩＰ電話端末Ａ１００からＩＰ電話端末Ｃ１００への端末移行が完了した後のＩＰ電話端末Ｃ１００の動作方法は、ステップＳ８０からステップＳ１１０において説明を行ったＩＰ電話端末Ａ１００の動作方法において、動作主体を置き換えた場合と同様である。
【００７５】
以上が、本実施形態における、ユーザーが転送先電話番号を設定している時に、ＩＰ電話端末の使用環境移行システムの動作方法の説明である。
【００７６】
以上が、本実施形態の説明である。なお、情報管理サーバ２００の呼制御部２４２は、通話中の呼を転送する場合に、ＩＰ電話端末１００の、ＳＩＰで使用するＵＲＩ（Ｕｎｉｆｏｒｍ  Ｒｅｓｏｕｒｃｅ  Ｉｄｅｎｔｉｆｉｅｒ）や、ＩＰアドレスに基づいて、通信の転送元と転送先を特定しても良い。また、情報管理サーバ２００の呼制御部２４２は、通話中の呼を転送する場合に、転送元のＩＰ電話端末１００と、転送先のＩＰ電話端末１００とで、それぞれ個人認証が行われたユーザーＩＤが一致する場合のみ、通信の転送を行う動作方法としてもよい。
【００７７】
ここまで、本実施形態によるＩＰ電話端末の使用環境移行システムを説明してきた。本発明によれば、ＩＰ電話端末１００は、情報管理サーバ２００において、ＩＰ電話端末１００を使用するユーザーの個人認証を行う。ＩＰ電話端末１００は、個人認証が正しく行われると、ユーザーに対応した端末利用環境情報１４１を、情報管理サーバ２００からダウンロードして使用可能状態へと移行する。
そのため、ユーザーは、ＩＰ電話端末１００が複数存在する場合にも、ＩＰ電話端末１００を選ぶことなく、個人の設定環境を用いてＩＰ電話端末１００を使用することができる。
【００７８】
また、ＩＰ電話端末１００は、正しく個人認証が行われない場合、情報管理サーバ２００から端末利用環境情報１４１をダウンロードする事は無く、使用可能状態へ移行することもない。また、ユーザーが、既に他のＩＰ電話端末１００を使用している場合、新たに個人認証が行われたＩＰ電話端末１００が使用可能状態へ移行すると、他のＩＰ電話端末１００は、保存している端末利用環境情報１４１を削除して使用不可状態へ移行する。
そのため、ユーザーは、個人の設定環境を容易に他のＩＰ電話端末１００へ移行することが可能であり、かつ、情報漏洩防ぎ安全に個人の設定環境を使用することができることができる。
【００７９】
さらに、ユーザーが、既に他のＩＰ電話端末１００で通話を行っている場合、新たに個人認証が行われたＩＰ電話端末１００が使用可能状態へ移行すると同時に、当該通話も転送することが可能となる。その際、新たに使用するＩＰ電話端末１００は、自動で応答（オフフック状態）する。また、新たに個人認証が行われたＩＰ電話端末１００へ通話を転送すると、転送元のＩＰ電話端末１００は、保存している端末利用環境情報１４１を削除して使用不可状態へ移行する。
そのため、通話中においても通話と共に個人の設定環境を容易に移行することが可能であり、かつ情報漏洩防ぎ安全に個人の設定環境を使用することが可能である。
【００８０】
加えて、ＩＰ電話端末１００は、予め転送先電話番号を端末利用環境情報１４１へ登録している。ＩＰ電話端末１００の電池残量が低下した場合や、電波受信状態が悪化した場合には、転送先電話番号を有するＩＰ電話端末１００へ、端末利用環境情報１４１を移行し、通話中である場合は通話を転送する。
そのため、ＩＰ電話端末１００の使用状態が悪化した場合にも、個人の設定環境を容易に、かつ安全に移行することが可能であり、また、通話中においても通話と共に個人の設定環境を容易に、かつ安全に移行することが可能である。
【００８１】
以上、実施形態を参照して本発明を説明してきたが、本発明は、上記実施形態に限定されるものではない。本は罪の構成や詳細には、本発明の範囲内で当業者が理解得し得る様々な変更を行うことが可能である。
【図面の簡単な説明】
【００８２】
【図１】本実施形態における、ＩＰ電話端末の使用環境移行システムの構成を示す図である。
【図２】本実施形態における、ＩＰ電話端末１００の構成を示す図である。
【図３】本実施形態における、情報管理サーバ２００の構成を示す図である。
【図４】本実施形態における、ＩＰ電話端末の使用環境移行システムの動作フローである。
【図５】本実施形態における、ＩＰ電話端末の使用環境移行システムの動作フローである。
【図６】本実施形態における、ＩＰ電話端末の使用環境移行システムの動作フローである。
【符号の説明】
【００８３】
１００  ＩＰ電話端末
１１０  入力部
１２０  表示部
１３０  認証部
１４０  記憶部
１４１  端末利用環境情報
１５０  通信部
１６０  制御部
２００  情報管理サーバ
２１０  入出力部
２２０  記憶部
２２１  個人認証データベース
２２２  端末利用環境情報データベース
２３０  通信部
２４０  制御部
２４１  端末管理部
２４２  呼制御部
３００  ネットワーク
【図１】
2009253641.tif 000003
【図２】
2009253641.tif 000004
【図３】
2009253641.tif 000005
【図４】
2009253641.tif 000006
【図５】
2009253641.tif 000007
【図６】
2009253641.tif 000008